(57)【要約】陰極線管１０におけるテンションフォーカスマスク５０においてテンションマスクストランド４４の間隔を保持する方法と装置に関する。テンションフォーカスマスクを製造するこの方法は、垂直ストランドが取り付けられるマスクフレーム３０６を与え；マスクストランドのスクリーン側に恒久接着剤を付与し；少なくとも１つの新規な非恒久的水平ガイド部材３０２をマスクストランドの銃側に非恒久的接着剤により取り付け；ストランドのスクリーン側にクロスワイヤ４６を付与し；装置を加熱し、それにより、（１）マスクストランドにクロスワイヤを恒久的に取り付け、（２）マスクストランドの銃側の接着剤を蒸発させて非恒久的ガイド部材を取り外しできるようにするステップを含む。ガイド部材は、（１）マスクのスクリーン側に水平クロスワイヤを付与し、（２）続いて熱処理を行う間、垂直マスクストランドの間隔を保持する。
2004523859.tif 000002
【特許請求の範囲】
【請求項１】
カラー光を発する蛍光体ストライプスクリーンを備えるフェースプレートと、２つのカンチレバー支持構造体を持つマスクフレーム及び前記マスクフレームを前記スクリーンに隣接する前記フェースプレートに固定する固定手段と、前記支持構造体に張力を付与して固定される複数のマスクストランドを有するカラー陰極線管におけるテンションフォーカスマスク装置であって、
前記マスクストランドを横切って一時的に固定され、前記カラー光発光蛍光体の位置決めを可能とするように前記ストランドを略均一な間隔に保持する、少なくとも１つのガイド部材と、
前記マスクストランドに固定される複数のクロスワイヤとを有するテンションフォーカスマスク装置。
【請求項２】
前記ガイド部材は、第１のタイプの接着剤により接着され、前記クロスワイヤは第２の接着剤により接着され、第１と第２の接着剤は異なるものである請求項１に記載の装置。
【請求項３】
第１のタイプの接着剤は第２の接着剤と特性が異なる請求項２に記載の装置。
【請求項４】
前記ガイド部材は実質的に平坦な部材である請求項１に記載の装置。
【請求項５】
テンションマスクフレームに設けられるマスクストランドのアレイを持つテンションマスクの製造に使用する方法であって、
前記マスクストランドの表面の第２の側に絶縁性の接着剤を付与し；
前記マスクストランドの表面の第１の側に少なくとも１つのガイド部材を接着剤により仮り留めし；
前記クロスワイヤとストランドがマスクフレーム上に開口の中央パターンを形成するように、導電性クロスワイヤを前記第２の側に前記マスクストランドを横切るように取り付け；
前記テンションマスクを接着剤を焼失させ、前記ストランドの第１の側から前記ガイド部材を除去するステップを順序を限定しないで有することを特徴とする方法。
【請求項６】
前記マスクストランドの第２の側の面に絶縁材料を付与した後にテンションマスクを加熱するステップを更に有する請求項５に記載の方法。
【請求項７】
前記テンションマスクを加熱した後、マスクストランドの第２の側の面に絶縁性接着材料のトップコートを付与するステップを更に有する請求項６に記載の方法。
【請求項８】
前記テンションマスクを加熱するステップは、４５０℃に加熱し約１時間該温度に保持する請求項５に記載の方法。
【発明の詳細な説明】
【０００１】
本発明は一般的にカラー映像管に関し、特に、カラー映像管のテンションフォーカスマスクを製造する方法及び装置に関する。
【０００２】
本発明の背景技術
カラー受像管は３本の電子ビームを受像管のスクリーンに向けて形成する電子銃を含む。スクリーンは受像管のフェースプレートの内側面に位置しており、また３色発光蛍光体要素のアレイにより造られる。色選択電極マスク、即ちシャドウマスクとして知られているマスクは、銃とスクリーンとの間に配置されて各電子ビームがそのビームに関連する蛍光体だけに当たるようにされている。シャドウマスクはスチールのような材料の薄いシートで、受像管のフェースプレートの内側面に略平行となるよう湾曲状にされている。シャドウマスクは成形されてもよく或いは張力付与材としてもよい。テンションマスクシステムには、（１）ストランドテンションマスク、（２）タイバーテンションマスク、（３）テンションフォーカスマスク、の３種類がある。テンションフォーカスマスクは、互いに直交し、絶縁体により分離されている２組の導電部材からなっている。２組の部材は異なる電圧に保たれており、これにより、２つの隣接するマスクストランドと２つの隣接するクロスワイヤにより囲まれた矩形の空間内に電子フォーカスレンズを形成している。テンションフォーカスマスクは少なくとも、張力が与えられた１組の導電部材を有する。一般的に、テンションフォーカスマスクにおいては、導電部材の垂直の組、即ちマスクストランドに張力が与えられ、水平の導電部材の組、即ち、クロスワイヤマスクストランドの上に配置される。
【０００３】
テンションフォーカスマスクを組み立てる際に、マスクストランド間及びクロスワイヤ間の間隔を一定にするように高い精度でクロスワイヤとマスクストランドを組み立てることが要求される。垂直マスクストランド間の間隔にばらつきがなければ、テンションフォーカスマスクは微小な縞模様が出ることがなく、そのような微小な縞模様はマトリックスとスクリーニングアレイに写し込まれることはない。
【０００４】
本発明の概要
本発明は、テンションフォーカスマスクの組み立てと、マスクの垂直部材、即ちマスクストランドの間隔を均一に保つ方法及び装置を提供するものである。本方法は、テンションが与えられた垂直マスクストランドを有するテンションフォーカスマスクを提供することを含む。恒久的な接着剤がマスクストランドのスクリーン側に噴霧され、水平ガイド部材が非恒久的接着剤を使用してマスクストランドの銃側に取り付けられる。次に、恒久的な水平クロスワイヤがマスクストランドのスクリーン側に適用され；続いて、マスク組立体がオーブンに入れられて加熱され、恒久クロスワイヤがマスクストランドに恒久的に接着され、また、非恒久的接着剤が蒸発するため、仮のガイド部材をマスクストランドから取り外す。
【０００５】
図面の説明
図１は、本発明のテンションフォーカスマスク−フレーム組立体を含むカラー受像管の部分的軸方向断面を示す側面図である。
【０００６】
図２は、図１のテンションフォーカスマスク組立体斜視図である。
【０００７】
図３は、本発明による装置の斜視図である。
【０００８】
詳細な説明
図１は、矩形のフェースプレートパネル１４と矩形のファンネル１８が連結した管状ネック１６を有するガラスエンベロープ１２を持つ陰極線管１０を示す。ファンネル１８は陽極ボタン２０からネック１６に延びる内部導電被膜（図示せず）を有する。パネル１４は、ガラスフリット２６によりファンネル１８に封止される周辺フランジ、即ちサイドウオール２４の観察フェースプレート２２を備えている。３色蛍光体スクリーン２８がフェースプレート２２の内側面に保持される。スクリーン２８は三つ組に配置された蛍光体ラインを持つラインスクリーンで、各組は３色の各々の蛍光体のラインを含む。テンションフォーカスマスク３０はスクリーン２８に対し、所定の間隔を置いて取り外し可能に取り付けられている。テンションフォーカスマスクは作動の間、マスクストランドとクロスワイヤに異なる電位が与えられている。点線３２内の電子銃（図示せず）はネック１６内の中心に配置され、中央ビームと両側ビームの３インラインビームを収束通路に沿ってマスク３０を通し、スクリーン２８に向けて発射する。
【０００９】
受像管１０はファンネルのネックの連結部の近傍に示されたヨーク３４のような、外側磁気偏向ヨークを使用するように設計されている。励磁されると、ヨーク３４は３本のビームに磁界を作用さて、スクリーン面２８の矩形ラスターにおいて水平方向及び垂直方向に走査させる。
【００１０】
図２により詳細に示されるテンションフォーカスマスクは２つの長辺３６，３８と、２つの短辺４０，４２を持つ。マスクの２つの長辺側境界３６及び３８は受像管の中央長軸ｘに平行で中央短軸ｙに直交している。テンションフォーカスマスク３０は２組の導電部材を含む；中央ｙ軸に平行で互いに平行なマスクストランド４４、及び中央長軸ｘに平行で互いに平行なクロスワイヤ４６である。好ましい実施例においては、マスクストランド４４は、約０．０１５インチの幅と約０．００２インチの厚さを持ち、垂直方向（ｙ軸に平行）に延びる平坦なストリップであり、クロスワイヤ４６は、水平方向（ｘ軸に平行）に延び直径が０．００１インチで断面が円形である。完成したマスクにおいては、張力が与えられて保持されたマスクストランド及びクロスワイヤは鉛−基材のフリットのような適当な絶縁層により互いに分離されている。
【００１１】
図３は、テンションフォーカスマスク３０の第１の側、即ち銃側の新規な非恒久水平ガイド部材３０２を持つテンションフォーカスマスク３０を示している。ガイド部材３０２は、恒久的水平クロスワイヤ４６をテンションフォーカスマスク３０の第２の側、即ち、スクリーン側に適用するとき、マスクストランド４４の間隔を一定に保つ。テンションフォーカスマスク３０のマスクフレーム３０６は、垂直マスクストランド４４が固定されるカンチレバー３０４を含む長辺３６及び３８を含む。マスクフレーム３０６は更にブスバー３０８を含む短辺４０及び４２を含む。ブスバー３０８はクロスワイヤ４６が連結される構造要素である。マスクストランド４４は、ブスバー３０８近傍の最後のギャップが好適に制御され、垂直マスクストランド４４の間隔に近いようになるように配置される。この新規な非恒久的ガイド部材３０２はマスクストランド４４の間隔を安定的に均一に保ち、クロスワイヤ４６を施す間の安定化手段を提供する。ガイド部材３０２はどのような断面でもよく、平坦で薄い部材や円筒状の部材でもよい。例示のものは０．００２インチの厚さと０．０１５ミルの幅を持つ平坦で薄い部材であるか、或いは０．００５インチの直径を持つ円筒形状である。これらの非恒久的ガイド部材３０２は、フォーカステンションマスク３０の第１の側、即ち銃側にクロスワイヤが取り付けられる前に取り付けられる。ガイド部材３０２は、アミルアルコールのような適当な溶媒に溶解されたアクリル樹脂のような有機接着剤により取り付けられる。このような接着剤は低い焼失温度を有し、後の加熱の過程でガイド部材３０２を容易に取り除くことを可能にする。ガイド部材３０２が取り付けられた後、スクリーン側のクロスワイヤ４６はマスクストランド４４の上に押し付けられる。
【００１２】
通常の処理においては、マスクストランド４４はこの押し付け過程でずれが生じたり変形する。しかしながら、ガイド部材３０２がクロスワイヤ４６の位置決めと取り付けの間のマスクストランド４４の変位を防ぐ。クロスワイヤ４６は絶縁接着層の使用によりマスクの第２の側に接着される。ガイド部材３０２とクロスワイヤ４６の好適な接着方法は以下の通りである：（１）鉛−基材のフリットのような絶縁材料のベースコートがマスクの第２側に適用される；（２）マスクが過熱される；（３）鉛−基材のフリットのような絶縁材料のトップコートがマスクの第２の側に施される；（４）ガイド部材３０２に接着剤が施される；（５）ガイド部材３０２がストランド４４に直交して位置決めされ、次いで、マスクの第１の側に接着される；（６）次いで、クロスワイヤ４６はマスクストランド４４に直交するようにマスクの第２の側に施され；（７）組立体が加熱され、クロスワイヤ４６が硬化フリットによりマスクストランド４４に結合し、マスクの第１の側の接着剤が蒸発してガイド部材３０２が取り外れる。
【００１３】
温度がマスクの第１の側の接着剤を焼失させるのに十分な温度に達するため、フリットを硬化させる加熱過程の間にガイド部材３０２は外れる。４５０℃の温度で約１時間維持される。
【００１４】
加熱サイクルが終了すると、マスク組立体は冷却される。略室温になったところで、マスク組立体はオーブンユニットから取り出され、外れたガイド部材３０２は廃棄される。次に、テンションフォーカスマスク３０が加熱過程の間でクロスワイヤ４６が均一な間隔に保たれていることを確認するために検査される。検査が完了すると、テンションフォーカスマスク３０はフェースプレートパネル１４に挿入され状態となり、それによる組立体は図１の陰極線管１０内に配置される。
【００１５】
本発明による開示を組み入れた実施例が詳細にしめされ、説明されているため、当業者は本発明の精神を離れることなくそれらの開示内容を組み入れた他の多くの実施例を容易に工夫することが可能である。
【図面の簡単な説明】
【図１】
本発明のテンションフォーカスマスク−フレーム組立体を含むカラー受像管の部分的軸方向断面を示す側面図である。
【図２】
図１のテンションフォーカスマスク組立体斜視図である。
【図３】
本発明による装置の斜視図である。
【国際公開パンフレット】
2004523859.tif 000003
2004523859.tif 000004
2004523859.tif 000005
2004523859.tif 000006
2004523859.tif 000007
2004523859.tif 000008
2004523859.tif 000009
2004523859.tif 000010
2004523859.tif 000011
2004523859.tif 000012
2004523859.tif 000013
2004523859.tif 000014
【国際調査報告】
2004523859.tif 000015
2004523859.tif 000016